(57)【特許請求の範囲】
【請求項１】
第一の回路と第二の回路とに分割される複数のコイルを備え、
上記各回路内のコイルは、互いに直列に連結され、
上記第一の回路と第二の回路とは、互いに並列に連結され、
上記第一の回路は、相電圧Vpが供給される最初のコイルを有し、
上記第二の回路は、相電圧Vpが供給される最後のコイルを有し、
上記第一の回路と上記第二の回路とは、各回路内の少なくとも一部で二つのコイルが隣接しないように並べられ、
上記各回路における上記最初のコイルと上記最後のコイルとは、二つの隣接するコイル間の最大の巻線交差電圧である最大可能巻線交差電圧が高くとも０.７５Vpとなるように上記複数のコイルから選択されている
ことを特徴とする回転電気機械のステーターの巻線配置。
【請求項２】
請求項１の回転電気機械のステーターの巻線配置において、
前記複数のコイルが、
第一端部及び第二端部を持つ第一コイルと、
該第一コイルに隣接し、第一端部及び第二端部を持つ第二コイルと、
該第二コイルに隣接し、第一端部及び第二端部を持つ第三コイルと、
該第三コイルに隣接し、第一端部及び第二端部を持つ第四コイルと、
該第四コイルに隣接し、第一端部及び第二端部を持つ第五コイルと、
該第五コイルに隣接し、第一端部及び第二端部を持つ第六コイルと、
該第六コイルに隣接し、第一端部及び第二端部を持つ第七コイルと、
該第七コイル及び上記第一コイルに隣接し、第一端部及び第二端部を持つ第八コイルとを備え、
最初のコイルである上記第一コイル及び最後のコイルである上記第八コイルのそれぞれの第一端部が、相電圧を受けるように構成され、
第一の回路を形成すべく、上記第一コイル、上記第二コイル、上記第三コイル及び上記第五コイルが電気的に直列に連結するように、上記第二コイルの上記第一端部が上記第一コイルの上記第二端部に連結され、上記第三コイルの上記第一端部が上記第二コイルの上記第二端部に連結され、そして、上記第五コイルの上記第一端部が上記第三コイルの上記第二端部に連結され、
第二の回路を形成すべく、上記第八コイル、上記第七コイル、上記第六コイル及び上記第四コイルが電気的に直列に連結するように、上記第七コイルの上記第一端部が上記第八コイルの上記第二端部に連結され、上記第六コイルの上記第一端部が上記第七コイルの上記第二端部に連結され、そして、上記第四コイルの上記第一端部が上記第六コイルの上記第二端部に連結され、そして、
上記第一の回路と上記第二の回路とを電気的に並列に連結されるよう、上記第四コイルの上記第二端部が上記第五コイルの上記第二端部に電気的に連結される
ことを特徴とする回転電気機械のステーターの巻線配置。
【請求項３】
請求項１の回転電気機械のステーターの巻線配置において、
前記複数のコイルが、
第一端部及び第二端部を持つ第一コイルと、
該第一コイルに隣接し、第一端部及び第二端部を持つ第二コイルと、
該第二コイルに隣接し、第一端部及び第二端部を持つ第三コイルと、
該第三コイルに隣接し、第一端部及び第二端部を持つ第四コイルと、
該第四コイルに隣接し、第一端部及び第二端部を持つ第五コイルと、
該第五コイルに隣接し、第一端部及び第二端部を持つ第六コイルと、
該第六コイルに隣接し、第一端部及び第二端部を持つ第七コイルと、
該第七コイル及び上記第一コイルに隣接し、第一端部及び第二端部を持つ第八コイルとを備え、
最初のコイルである上記第一コイルと最後のコイルである第八コイルのそれぞれの第一端部が、相電圧を受けるように構成され、
第一の回路を形成すべく、上記第一コイル、上記第二コイル、上記第三コイル及び上記第六コイルが電気的に直列に連結されるように、上記第二コイルの第一端部が上記第一コイルの第二端部に連結され、上記第三コイルの第一端部が上記第二コイルの第二端部に連結され、そして、第六コイルの第一端部が第三コイルの第二端部に連結され、
第二の回路を形成すべく上記第八コイル、上記第七コイル、上記第五コイル及び上記第四コイルが電気的に直列に連結されるように、上記第七コイルの第一端部が上記第八コイルの第二端部に連結され、上記第五コイルの第一端部が上記第七コイルの第二端部に連結され、そして、第四コイルの第一端部が第五コイルの第二端部に連結され、そして、
上記第一の回路と上記第二の回路とが電気的に並列に連結されるように、上記第四コイルの第二端部と上記第六コイルの第二端部とが電気的に連結される
ことを特徴とする回転電気機械のステーターの巻線配置。
【請求項４】
請求項１の回転電気機械のステーターの巻線配置において、
前記複数のコイルが、
第一端部及び第二端部を持つ第一コイルと、
該第一コイルに隣接し、第一端部及び第二端部を持つ第二コイルと、
該第二コイルに隣接し、第一端部及び第二端部を持つ第三コイルと、
該第三コイルに隣接し、第一端部及び第二端部を持つ第四コイルと、
該第四コイルに隣接し、第一端部及び第二端部を持つ第五コイルと、
該第五コイルに隣接し、第一端部及び第二端部を持つ第六コイルと、
該第六コイルに隣接し、第一端部及び第二端部を持つ第七コイルと、
該第七コイル及び上記第一コイルに隣接し、第一端部及び第二端部を持つ第八コイルとを備え、
最初のコイルである上記第一コイルと最後のコイルである第八コイルのそれぞれの第一端部が、相電圧を受けるように構成され、
第一の回路を形成すべく、上記第一コイル、上記第二コイル、上記第四コイル及び上記第六コイルが電気的に直列に連結されるように、上記第二コイルの第一端部が上記第一コイルの第二端部に連結され、上記第四コイルの第一端部が上記第二コイルの第二端部に連結され、そして、第六コイルの第一端部が第四コイルの第二端部に連結され、
第二の回路を形成すべく上記第八コイル、上記第七コイル、上記第五コイル及び上記第三コイルが電気的に直列に連結されるように、上記第七コイルの第一端部が上記第八コイルの第二端部に連結され、上記第五コイルの第一端部が上記第七コイルの第二端部に連結され、そして、第三コイルの第一端部が第五コイルの第二端部に連結され、そして、
上記第一の回路と上記第二の回路とが電気的に並列に連結されるように、上記第三コイルの第二端部と上記第六コイルの第二端部とが電気的に連結される
ことを特徴とする回転電気機械のステーターの巻線配置。
【請求項５】
請求項１の回転電気機械のステーターの巻線配置において、
前記複数のコイルが、
第一端部及び第二端部を持つ第一コイルと、
該第一コイルに隣接し、第一端部及び第二端部を持つ第二コイルと、
該第二コイルに隣接し、第一端部及び第二端部を持つ第三コイルと、
該第三コイルに隣接し、第一端部及び第二端部を持つ第四コイルと、
該第四コイルに隣接し、第一端部及び第二端部を持つ第五コイルと、
該第五コイルに隣接し、第一端部及び第二端部を持つ第六コイルと、
該第六コイルに隣接し、第一端部及び第二端部を持つ第七コイルと、
該第七コイル及び上記第一コイルに隣接し、第一端部及び第二端部を持つ第八コイルとを備え、
最初のコイルである上記第一コイルと最後のコイルである第五コイルのそれぞれの第一端部が、相電圧を受けるように構成され、
第一の回路を形成すべく、上記第一コイル、上記第二コイル、上記第四コイル及び上記第七コイルが電気的に直列に連結されるように、上記第二コイルの第一端部が上記第一コイルの第二端部に連結され、上記第四コイルの第一端部が上記第二コイルの第二端部に連結され、そして、第七コイルの第一端部が第四コイルの第二端部に連結され、
第二の回路を形成すべく上記第五コイル、上記第六コイル、上記第八コイル及び上記第三コイルが電気的に直列に連結されるように、上記第六コイルの第一端部が上記第五コイルの第二端部に連結され、上記第八コイルの第一端部が上記第六コイルの第二端部に連結され、そして、第三コイルの第一端部が第八コイルの第二端部に連結され、そして、
上記第一の回路と上記第二の回路とが電気的に並列に連結されるように、上記第三コイルの第二端部と上記第七コイルの第二端部とが電気的に連結される
ことを特徴とする回転電気機械のステーターの巻線配置。
【請求項６】
請求項１の回転電気機械のステーターの巻線配置において、
前記複数のコイルが、
第一端部及び第二端部を持つ第一コイルと、
該第一コイルに隣接し、第一端部及び第二端部を持つ第二コイルと、
該第二コイルに隣接し、第一端部及び第二端部を持つ第三コイルと、
該第三コイルに隣接し、第一端部及び第二端部を持つ第四コイルと、
該第四コイルに隣接し、第一端部及び第二端部を持つ第五コイルと、
該第五コイルに隣接し、第一端部及び第二端部を持つ第六コイルと、
該第六コイルに隣接し、第一端部及び第二端部を持つ第七コイルと、
該第七コイル及び上記第一コイルに隣接し、第一端部及び第二端部を持つ第八コイルとを備え、
最初のコイルである上記第一コイル及び最後のコイルである上記第四コイルのそれぞれの第一端部が、相電圧を受けるように構成され、
第一の回路を形成すべく、上記第一コイル、上記第三コイル、上記第五コイル及び上記第七コイルが電気的に直列に連結するように、上記第三コイルの上記第一端部が上記第一コイルの上記第二端部に連結され、上記第五コイルの上記第一端部が上記第三コイルの上記第二端部に連結され、そして、上記第七コイルの上記第一端部が上記第五コイルの上記第二端部に連結され、
第二の回路を形成すべく、上記第四コイル、上記第二コイル、上記第八コイル及び上記第六コイルが電気的に直列に連結するように、上記第二コイルの上記第一端部が上記第四コイルの上記第二端部に連結され、上記第八コイルの上記第一端部が上記第二コイルの上記第二端部に連結され、そして、上記第六コイルの上記第一端部が上記第八コイルの上記第二端部に連結され、そして、
上記第一の回路と上記第二の回路とを電気的に並列に連結されるよう、上記第六コイルの上記第二端部が上記第七コイルの上記第二端部に電気的に連結される
ことを特徴とする回転電気機械のステーターの巻線配置。
【発明の詳細な説明】
【技術分野】
【０００１】
本発明は、概して電気機械の巻線配置に関連し、具体的には、回転電気機械のステーターの巻線配置に関連する。
【背景技術】
【０００２】
電気機械、具体的には電気モーター及びジェネレーターの少なくとも一方のような回転電気機械の巻線配置は、対応するステーターのコイルを所定の方法で接続することによって形成されるのが一般的である。図７を参照すると、概して隣接磁極巻線機械（adjacent pole wound machine）と呼ばれる従来の回転電気機械１０の概略図が示される。従来の機械１０は、概して、ローター１２、ステーター１４及び、複数のコイル１６（例えば、１６a−１６h）を有する。具体的には、図７の従来の機械１０は、８磁極電気機械１０であり、８磁極電気機械１０の位相（相電圧Vp）に対応する八個のコイル１６（即ち、C１-C８）を持つ。図示されているように、隣接するコイルの第一のグループ（例えば、C１-C４）が第一回路１８を形成すべく電気的に直列に連結され、残りのコイル１６（即ち、隣接するコイルの第二のグループC８-C５）が第二回路２０を形成すべく電気的に直列に連結される。隣接磁極巻線機械１０の巻線（即ち、相巻線）は概して、第一回路１８と第二回路２０とを並列に連結することによって完成される。したがって、第一回路１８及び第二回路２０のコイル１６は、概して、ローター１２を駆動するための磁場を生成すべく協働する。
【０００３】
理想的な電気機械においては、ローター１２とステーター１４との間の空隙２２が一定である。しかしながら、そのように空隙２２を一定にすることは実際には難しいであろう。図８に示されているように、不均一の空隙２２の一般的な原因は、ローター１２内の偏心の存在である。そのような偏心は、コイル１６の第一のグループ（即ち、第一回路１８を形成するコイル１６）が、コイル１６の第二のグループ（即ち、第二回路２０を形成するコイル）が面する空隙２２より小さな空隙２２に面する原因となり得る（或いはその逆に、第一のグループが面する空隙２２の方が大きくなる場合もある）。結果として、例えば、第一グループに面する空隙２２内の磁束が、第二グループに面する空隙２２内の磁束より概して高くなる。そのような磁束の不均衡は、概してステーター１２及びローター１４において不均衡な力をもたらす。その不均衡な力は概して、機械１０の動作に関連する振動及びノイズを増大させる。
【０００４】
図９を参照すると、その不均一な空隙２２に関連する問題に取り組むための従来の試みの概略図が示される。図９に示されているように、概してスキップ磁極巻線機械（skip-pole wound machine）と呼ばれる電気機械４０が、ローター１２、ステーター１４及び、複数のコイル１６（例えば１６a-１６h）を有する。図示されているように、隣接していないコイル１６の第一のグループの４つ（例えば、C１、C３、C５及びC７）が、第一の回路１８を形成すべく電気的に直列に連結され、そして、残りのコイル１６（即ち、隣接しないコイルの第二グループの４つ C８、C６、C４及びC２）が、第二の回路２０を形成すべく電気的に直列に連結される。スキップ磁極巻線機械４０の巻線（即ち、相巻線）は概して、第一回路１８と第二回路２０とを並列に連結することにより完成される。図９に更に示されているように、従来のスキップ磁極巻線機械４０は、相電圧に対応するコイル１６（例えば、C１及びC８の少なくとも一方）が、対応する回路（例えば、C２及びC７の少なくとも一方）の最低磁位（potential）の点を持つコイルに隣接していることによって更に特徴付けられる。
【０００５】
従来のスキップ磁極巻線機械４０が概して、間隙２２の大きな部分に面するコイルの数と小さな部分に面するコイルの数が同じである二つの回路（即ち、回路１８と回路２０）を備えるので、ステーター１２及びローター１４における力の不均衡は概して低減される。したがって、非均一な間隙２２に関連する振動及びノイズの少なくとも一方は、概して低減される。
【発明の概要】
【発明が解決しようとする課題】
【０００６】
従来のスキップ磁極巻線機械４０は、非均一な空隙２２に関連する振動及びノイズの少なくとも一方を低減し得るけれども、そのようなスキップ磁極巻線機械４０は概して、巻線が交差するところ（即ち、第一コイル区分と第二コイル区分とが接触する点）において二つのコイル１６の間の最大可能巻線交差電圧を増加させる。例えば、相電圧（大きさをVpとする）が第一回路１８及び第二回路２０のそれぞれのコイル１６にわたって均等に分配されると仮定した場合、図７の従来の隣接磁極巻線機械１０は概して、０.５Vpの最大可能巻線交差電圧を持つ。例えば、もし図７のC１に対応する端子A或いはその近傍における巻線が、C２に対応する端子B或いはその近傍における巻線と接触するならば、巻線が交差するところにおいて巻線を横切る電圧は、０.５Vp（即ち、Vp−０.５Vp=０.５Vp）に実質的に等しいであろう。同様の分析が、隣接磁極巻線機械１０のどの二つの隣接するコイル１６の間の巻線交差電圧も、０.５Vpを越えることができないことを示す。
【０００７】
一方、同様に、相電圧（大きさをVpとする）が第一回路１８及び第二回路２０のそれぞれのコイル１６にわたって均等に分配されると仮定した場合、図９の従来のスキップ磁極巻線機械４０は概して、Vpの最大可能巻線交差電圧を持つ。例えば、もし図９のC１に対応する端子A或いはその近傍における巻線が、C２に対応する端子B或いはその近傍における巻線と接触するならば、巻線交差点における巻線を横切る電圧は、Vp（即ち、Vp-０=Vp）に実質的に等しいであろう。したがって、スキップ磁極巻線機械４０の二つの隣接するコイル１６の間の巻線交差電圧は、Vpに等しくなり得る。そのような最大可能巻線交差電圧の増加は、機械４０の初期故障を生成し得るので、概して望ましくない。
【０００８】
したがって、機械の隣接する二つのコイルの間の最大可能巻線交差電圧を低減しながら、不均一な間隙の作用を低減するコイル配列を持つ電気機械が望まれている。
【課題を解決するための手段】
【０００９】
本発明によれば、下記のような回転電気機械のステーターが提供される。そのステーターは、複数のコイルを有する。コイルのそれぞれは、第一端部と第二端部とを持つ。その複数のコイルは、第二コイルが第一コイルに隣接し、第三コイルが第二コイルに隣接し、第四コイルが第三コイルに隣接し、第五コイルが第四コイルに隣接し、第六コイルが第五コイルに隣接し、第七コイルが第六コイルに隣接し、そして、第八コイルが第七コイル及び第一コイルに隣接するように配列される。第一コイル及び第二コイルのそれぞれの第一端部が相電圧を受けるように構成される。第一コイル、第三コイル、第五コイル及び第七コイルが第一回路を形成すべく電気的に直列に連結されるよう、第三コイルの第一端部が第一コイルの第二端部に連結され、第五コイルの第一端部が第三コイルの第二端部に連結され、そして、第七コイルの第一端部が第五コイルの第二端部に連結される。第二コイル、第八コイル、第六コイル及び第四コイルが第二回路を形成すべく電気的に直列に連結されるよう、第八コイルの第一端部が第二コイルの第二端部に連結され、第六コイルの第一端部が第八コイルの第二端部に連結され、そして第四コイルの第一端部が第六コイルの第二端部に連結される。第一回路及び第二回路が電気的に並列に連結されるよう、第四コイルの第二端部が、第七コイルの第二端部と電気的に連結される。
【００１０】
また、本発明によれば、下記のような回転電気機械のステーターも提供される。ステーターは複数のコイルを有する。コイルのそれぞれは、第一端部と第二端部とを持つ。そのコイルは、第二コイルが第一コイルと隣接し、第三コイルが第二コイルと隣接し、第四コイルが第三コイルと隣接し、第五コイルが第四コイルと隣接し、第六コイルが第五コイルと隣接し、第七コイルが第六コイルと隣接し、そして第八コイルが第七コイル及び第一コイルと隣接するように配列される。第一コイルと第八コイルのそれぞれの第一端部が、相電圧を受けるように構成される。第一回路を形成すべく第一、第二、第三及び第五コイルが電気的に直列に連結されるように、第二コイルの第一端部が第一コイルの第二端部に連結され、第三コイルの第一端部が第二コイルの第二端部に連結され、そして、第五コイルの第一端部が第三コイルの第二端部に連結される。第二回路を形成すべく第八、第七、第六及び第四コイルが電気的に直列に連結されるよう、第七コイルの第一端部が第八コイルの第二端部に連結され、第六コイルの第一端部が第七コイルの第二端部に連結され、そして、第四コイルの第一端部が第六コイルの第二端部に連結される。第一回路と第二回路とが電気的に並列に連結されるように、第四コイルの第二端部と第五コイルの第二端部とが電気的に連結される。
【００１１】
さらにまた、本発明によれば、下記のような回転電気機械のステーターも提供される。ステーターは複数のコイルを有する。コイルのそれぞれは、第一端部及び第二端部を持つ。コイルは、第二コイルが第一コイルに隣接し、第三コイルが第二コイルに隣接し、第四コイルが第三コイルに隣接し、第五コイルが第四コイルに隣接し、第六コイルが第五コイルに隣接し、第七コイルが第六コイルに隣接し、そして第八コイルが第七コイル及び第一コイルに隣接するように配列される。第一コイルと第八コイルのそれぞれの第一端部が、相電圧を受けるように構成される。第一回路を形成すべく第一、第二、第三及び第六コイルが電気的に直列に連結されるように、第二コイルの第一端部が第一コイルの第二端部に連結され、第三コイルの第一端部が第二コイルの第二端部に連結され、そして、第六コイルの第一端部が第三コイルの第二端部に連結される。第二回路を形成すべく第八コイル、第七コイル、第五コイル及び第四コイルが電気的に直列に連結されるように、第七コイルの第一端部が第八コイルの第二端部に連結され、第五コイルの第一端部が第七コイルの第二端部に連結され、そして、第四コイルの第一端部が第五コイルの第二端部に連結される。第一回路と第二回路とが電気的に並列に連結されるように、第四コイルの第二端部と第六コイルの第二端部とが電気的に連結される。
【００１２】
また、本発明によれば、下記のような回転電気機械のステーターが提供される。ステーターは複数のコイルを有する。コイルのそれぞれは、第一端部と第二端部とを持つ。コイルは、第二コイルが第一コイルと隣接し、第三コイルが第二コイルと隣接し、第三コイルが第二コイルと隣接し、第四コイルが第三コイルと隣接し、第五コイルが第四コイルと隣接し、第六コイルが第五コイルと隣接し、第七コイルが第六コイルと隣接し、そして第八コイルが第七コイル及び第一コイルと隣接するように配列される。第一コイルと第八コイルのそれぞれの第一端部が、相電圧を受けるように構成される。第一回路を形成すべく第一コイル、第二コイル、第四コイル及び第六コイルが電気的に直列に連結されるよう、第二コイルの第一端部が第一コイルの第二端部に連結され、第四コイルの第一端部が第二コイルの第二端部に連結され、そして、第六コイルの第一端部が第四コイルの第二端部に連結される。第二回路を形成すべく第八コイル、第七コイル、第五コイル及び第三コイルが電気的に直列に連結されるよう、第七コイルの第一端部が第八コイルの第二端部に連結され、第五コイルの第一端部が第七コイルの第二端部に連結され、そして、第三コイルの第一端部が第五コイルの第二端部と連結される。第一回路と第二回路とが電気的に並列に連結されるよう、第三コイルの第二端部と第六コイルの第二端部とが電気的に連結される。
【００１３】
さらにまた、本発明によれば、下記のような回転電気機械のステーターが提供される。ステーターは複数のコイルを有する。コイルのそれぞれは、第一端部と第二端部とを持つ。複数のコイルは、第二コイルが第一コイルに隣接し、第三コイルが第二コイルに隣接し、第四コイルが第三コイルに隣接し、第四コイルが第三コイルに隣接し、第五コイルが第四コイルに隣接し、第六コイルが第五コイルに隣接し、第七コイルが第六コイルに隣接し、そして、第八コイルが第七コイル及び第一コイルに隣接するように、配列される。第一コイル及び第五コイルのそれぞれの第一端部が相電圧を受けるように構成される。第一回路を形成すべく第一コイル、第二コイル、第四コイル及び第七コイルが電気的に直列に連結されるように、第二コイルの第一端部が第一コイルの第二端部に連結され、第四コイルの第一端部が第二コイルの第二端部に連結され、そして、第七コイルの第一端部が第四コイルの第二端部に連結される。第二回路を形成すべく第五コイル、第六コイル、第八コイル及び第三コイルが電気的に直列に連結されるように、第六コイルの第一端部が第五コイルの第二端部に連結され、第八コイルの第一端部が第六コイルの第二端部に連結され、そして、第三コイルの第一端部が第八コイルの第二端部に連結される。第一回路と第二回路とが電気的に並列に連結するように、第三コイルの第二端部と第七コイルの第二端部とが電気的に連結する。
【００１４】
さらにまた、本発明によれば、下記のような、回転電気機械ステーターも、提供される。ステーターは複数のコイルを持つ。コイルのそれぞれは、第一端部及び第二端部を持つ。複数のコイルは、第二コイルが第一コイルに隣接し、第三コイルが第二コイルに隣接し、第四コイルが第三コイルに隣接し、第五コイルが第四コイルに隣接し、第六コイルが第五コイルに隣接し、第七コイルが第六コイルに隣接し、そして、第八コイルが第七コイル及び第一コイルに隣接するように配列される。第一コイル及び第四コイルのそれぞれの第一端部が、相電圧を受けるように構成される。第一回路を形成すべく第一コイル、第三コイル、第五コイル及び第七コイルが電気的に直列に連結されよう、第三コイルの第一端部が第一コイルの第二端部に連結され、第五コイルの第一端部が第三コイルの第二端部に連結され、そして、第七コイルの第一端部が第五コイルの第二端部と連結される。第二回路を形成すべく第四コイル、第二コイル、第八コイル及び第六コイルが電気的に直列に連結されるよう、第二コイルの第一端部が第四コイルの第二端部に連結され、第八コイルの第一端部が第二コイルの第二端部に連結され、そして、第六コイルの第一端部が第八コイルの第二端部に連結される。第一回路と第二回路とが電気的に並列に連結されるよう、第六コイルの第二端部が第七コイルの第二端部に電気的に連結される。
【図面の簡単な説明】
【００１５】
【図１】本発明の実施形態に従った回転電気機械の概略図である。
【図２】本発明の別の実施形態に従った回転電気機械の概略図である。
【図３】本発明の別の実施形態に従った回転電気機械の概略図である。
【図４】本発明の別の実施形態に従った回転電気機械の概略図である。
【図５】本発明の別の実施形態に従った回転電気機械の概略図である。
【図６】本発明の別の実施形態に従った回転電気機械の概略図である。
【図７】従来の回転電気機械の概略図である。
【図８】従来の回転電気機械の概略図である。
【図９】従来の回転電気機械の概略図である。
【発明を実施するための形態】
【００１６】
同じ参照符号が同じ構成要素を示している複数の図を参照して、本発明の一つ以上の実施形態を示す。
【００１７】
図１を参照すると、本発明の一つの実施形態に従った回転電気機械２００の概略図が示される。機械２００は概して、ローター１０２及びステーター１０４を有する。ステーター１０４は、八個のコイル１０６a-１０６hにような、複数のコイルを含み得る。コイル１０６のそれぞれは、第一端部及び第二端部を持ち得る。図１に示すように、八個のコイル１０６a-１０６hは、第二コイル１０６bが第一コイル１０６aに隣接し、第三コイル１０６cが第二コイル１０６bに隣接し、第四コイル１０６dが第三コイル１０６cに隣接し、第五コイル１０６eが第四コイル１０６dに隣接し、第六コイル１０６fが第五コイル１０６eに隣接し、第七コイル１０６gが第六コイル１０６fに隣接し、そして、第八コイル１０６hが第七コイル１０６g及び第一コイル１０６aの両方に隣接するように配設され得る。
【００１８】
第一コイル１０６aと第二コイル１０６bのそれぞれの第一端部が、相電圧（即ち、Vp）を受けるように構成され得る。さらに、第一回路１０８を形成すべく第一コイル１０６a、第三コイル１０６c、第五コイル１０６e及び第七コイル１０６gが電気的に直列に連結されるよう、第三コイル１０６cの第一端部が第一コイル１０６aの第二端部に連結され、第五コイル１０６eの第一端部が第三コイル１０６cの第二端部に連結され、そして、第七コイル１０６gの第一端部が第五コイル１０６eの第二端部に連結され得る。同様に、第二回路１１０を形成すべく第二コイル１０６b、第八コイル１０６h、第六コイル１０６f及び第四コイル１０６dが電気的に直列に連結されるよう、第八コイル１０６hの第一端部が第二コイル１０６bの第二端部に連結され、第六コイル１０６fの第一端部が第八コイル１０６hの第二端部に連結され、そして、第四コイル１０６dの第一端部が第六コイル１０６fの第二端部に連結され得る。第一回路１０８と第二回路１１０とが電気的に並列に連結されるよう、第四コイル１０６dの第二端部が第七コイル１０６gの第二端部に連結され得る。少なくとも一つの実施形態において、各コイル１０６の第一端部は正の基準端子に対応し、かつ、各コイル１０６の第二端部は負の基準端子に対応する。もしくは、各コイル１０６の第一端部は正の基準端子に対応し、又は、各コイル１０６の第二端部は負の基準端子に対応する。
【００１９】
図９に示される従来のスキップ磁極巻線機械４０と同様に、本発明の回転電気機械２００は、ステーター１０４周りの各回路（即ち、１０８及び１１０）のコイル１０６の進んだ配置によって、図７に示される従来の機械１０に比べて、不均一な間隙２２に関連する振動及びノイズの少なくとも一方を低減し得る。その一方で、下表１に示すように、回転電気機械２００は、巻線交差点（即ち、そこにおいて第一コイル区分が第二コイル区分に接触する点）における二つのコイル１０６間の最大可能巻線交差電圧としてVpの値を持つ前述の図９の従来のスキップ磁極巻線機械４０と比べたときに、同最大可能巻線交差電圧を概して０.７５Vp（即ち、Vpの７５%）まで低減する。
【００２０】
【表１】
0005567708.tif 000002
【００２１】
例えば、相電圧（Vp）が第一回路１０８及び第二回路１１０のそれぞれのコイル１０６にわたって均等に分配されると仮定すると、もしC３に対応する端子A又はその近傍における巻線が、C４に対応する端子B又はその近傍における巻線と接触するならば、巻線交差点において巻線を横切る電圧は０.７５Vpに実質的に等しい（即ち、０.７５Vp-０Vp=０.７５Vp）。同様の分析が、回転電気機械２００の、どの二つの隣接するコイル１０６間の巻線交差電圧も概して０.７５Vpを上回らないことを示す。
【００２２】
したがって、本発明の電気機械２００は概して、従来の電気機械１０及び４０に対する改善を示す。
【００２３】
図２を参照すると、本発明の別の実施形態に従った回転電気機械３００の概略図が示される。機械３００は概して、ローター１０２及びステーター１０４を有する。ステーター１０４は、八個のコイル１０６a-１０６hにような、複数のコイルを含み得る。コイル１０６のそれぞれは、第一端部及び第二端部を持ち得る。図２に示すように、八個のコイル１０６a-１０６hは、第二コイル１０６bが第一コイル１０６aに隣接し、第三コイル１０６cが第二コイル１０６bに隣接し、第四コイル１０６dが第三コイル１０６cに隣接し、第五コイル１０６eが第四コイル１０６dに隣接し、第六コイル１０６fが第五コイル１０６eに隣接し、第七コイル１０６gが第六コイル１０６fに隣接し、そして、第八コイル１０６hが第七コイル１０６g及び第一コイル１０６aの両方に隣接するように配設され得る。
【００２４】
第一コイル１０６aと第八コイル１０６hのそれぞれの第一端部が、相電圧（即ち、Vp）を受けるように構成され得る。さらに、第一回路１０８を形成すべく第一コイル１０６a、第二コイル１０６b、第三コイル１０６c及び第五コイル１０６eが電気的に直列に連結されるよう、第二コイル１０６bの第一端部が第一コイル１０６aの第二端部に連結され、第三コイル１０６cの第一端部が第二コイル１０６bの第二端部に連結され、そして、第五コイル１０６eの第一端部が第三コイル１０６cの第二端部に連結され得る。同様に、第二回路１１０を形成すべく第八コイル１０６h、第七コイル１０６g、第六コイル１０６f及び第四コイル１０６dが電気的に直列に連結されるよう、第七コイル１０６gの第一端部が第八コイル１０６hの第二端部に連結され、第六コイル１０６fの第一端部が第七コイル１０６gの第二端部に連結され、そして、第四コイル１０６dの第一端部が第六コイル１０６fの第二端部に連結され得る。第一回路１０８と第二回路１１０とが電気的に並列に連結されるよう、第四コイル１０６dの第二端部が第五コイル１０６eの第二端部に連結され得る。少なくとも一つの実施形態において、各コイル１０６の第一端部は正の基準端子に対応し、かつ、各コイル１０６の第二端部は負の基準端子に対応する。もしくは、各コイル１０６の第一端部は正の基準端子に対応し、又は、各コイル１０６の第二端部は負の基準端子に対応する。
【００２５】
図９に示される従来のスキップ磁極巻線機械４０と同様に、本発明の回転電気機械３００は、ステーター１０４周りの各回路（即ち、１０８及び１１０）のコイル１０６の進んだ配置によって、図７に示される従来の機械１０に比べて、不均一な間隙２２に関連する振動及びノイズの少なくとも一方を低減し得る。その一方で、下表２に示すように、回転電気機械３００は、巻線交差点（即ち、そこにおいて第一コイル区分が第二コイル区分に接触する点）における二つのコイル１０６間の最大可能巻線交差電圧としてVpの値を持つ前述の図９の従来のスキップ磁極巻線機械４０と比べたときに、同最大可能巻線交差電圧を概して０.５０Vpまで低減する。
【００２６】
【表２】
0005567708.tif 000003
【００２７】
例えば、相電圧（Vp）が第一回路１０８及び第二回路１１０のそれぞれのコイル１０６にわたって均等に分配されると仮定すると、もしC２に対応する端子A又はその近傍における巻線が、C３に対応する端子B又はその近傍における巻線と接触するならば、巻線交差点において巻線を横切る電圧は０.５０Vpに実質的に等しい（即ち、０.７５Vp-０.２５Vp=０.５０Vp）。同様の分析が、回転電気機械３００の、どの二つの隣接するコイル１０６間の巻線交差電圧も概して０.５０Vpを上回らないことを示す。
【００２８】
したがって、本発明の電気機械３００は概して、従来の電気機械１０及び４０に対する改善を示す。
【００２９】
図３を参照すると、本発明の一つの実施形態に従った回転電気機械４００の概略図が示される。機械４００は概して、ローター１０２及びステーター１０４を有する。ステーター１０４は、八個のコイル１０６a-１０６hにような、複数のコイルを含み得る。コイル１０６のそれぞれは、第一端部及び第二端部を持ち得る。図３に示すように、八個のコイル１０６a-１０６hは、第二コイル１０６bが第一コイル１０６aに隣接し、第三コイル１０６cが第二コイル１０６bに隣接し、第四コイル１０６dが第三コイル１０６cに隣接し、第五コイル１０６eが第四コイル１０６dに隣接し、第六コイル１０６fが第五コイル１０６eに隣接し、第七コイル１０６gが第六コイル１０６fに隣接し、そして、第八コイル１０６hが第七コイル１０６g及び第一コイル１０６aの両方に隣接するように配設され得る。
【００３０】
第一コイル１０６aと第八コイル１０６hのそれぞれの第一端部が、相電圧（即ち、Vp）を受けるように構成され得る。さらに、第一回路１０８を形成すべく第一コイル１０６a、第二コイル１０６b、第三コイル１０６c及び第六コイル１０６fが電気的に直列に連結されるよう、第二コイル１０６bの第一端部が第一コイル１０６aの第二端部に連結され、第三コイル１０６cの第一端部が第二コイル１０６bの第二端部に連結され、そして、第六コイル１０６fの第一端部が第三コイル１０６cの第二端部に連結され得る。同様に、第二回路１１０を形成すべく第八コイル１０６h、第七コイル１０６g、第五コイル１０６e及び第四コイル１０６dが電気的に直列に連結されるよう、第七コイル１０６gの第一端部が第八コイル１０６hの第二端部に連結され、第五コイル１０６eの第一端部が第七コイル１０６gの第二端部に連結され、そして、第四コイル１０６dの第一端部が第五コイル１０６eの第二端部に連結され得る。第一回路１０８と第二回路１１０とが電気的に並列に連結されるよう、第四コイル１０６dの第二端部が第六コイル１０６fの第二端部に連結され得る。少なくとも一つの実施形態において、各コイル１０６の第一端部は正の基準端子に対応し、かつ、各コイル１０６の第二端部は負の基準端子に対応する。もしくは、各コイル１０６の第一端部は正の基準端子に対応し、又は、各コイル１０６の第二端部は負の基準端子に対応する。
【００３１】
図９に示される従来のスキップ磁極巻線機械４０と同様に、本発明の回転電気機械４００は、ステーター１０４周りの各回路（即ち、１０８及び１１０）のコイル１０６の進んだ配置によって、図７に示される従来の機械１０に比べて、不均一な間隙２２に関連する振動及びノイズの少なくとも一方を低減し得る。その一方で、下表３に示すように、回転電気機械４００は、巻線交差点（即ち、そこにおいて第一コイル区分が第二コイル区分に接触する点）における二つのコイル１０６間の最大可能巻線交差電圧としてVpの値を持つ前述の図９の従来のスキップ磁極巻線機械４０と比べたときに、同最大可能巻線交差電圧を概して０.７５Vpまで低減する。
【００３２】
【表３】
0005567708.tif 000004
【００３３】
例えば、相電圧（Vp）が第一回路１０８及び第二回路１１０のそれぞれのコイル１０６にわたって均等に分配されると仮定すると、もしC７に対応する端子A又はその近傍における巻線が、C６に対応する端子B又はその近傍における巻線と接触するならば、巻線交差点において巻線を横切る電圧は０.７５Vpに実質的に等しい（即ち、０.７５Vp-０Vp=０.７５Vp）。同様の分析が、回転電気機械４００の、どの二つの隣接するコイル１０６間の巻線交差電圧も概して０.７５Vpを上回らないことを示す。
【００３４】
したがって、本発明の電気機械４００は概して、従来の電気機械１０及び４０に対する改善を示す。
【００３５】
図４を参照すると、本発明の一つの実施形態に従った回転電気機械５００の概略図が示される。機械５００は概して、ローター１０２及びステーター１０４を有する。ステーター１０４は、八個のコイル１０６a-１０６hにような、複数のコイルを含み得る。コイル１０６のそれぞれは、第一端部及び第二端部を持ち得る。図４に示すように、八個のコイル１０６a-１０６hは、第二コイル１０６bが第一コイル１０６aに隣接し、第三コイル１０６cが第二コイル１０６bに隣接し、第四コイル１０６dが第三コイル１０６cに隣接し、第五コイル１０６eが第四コイル１０６dに隣接し、第六コイル１０６fが第五コイル１０６eに隣接し、第七コイル１０６gが第六コイル１０６fに隣接し、そして、第八コイル１０６hが第七コイル１０６g及び第一コイル１０６aの両方に隣接するように配設され得る。
【００３６】
第一コイル１０６aと第八コイル１０６hのそれぞれの第一端部が、相電圧（即ち、Vp）を受けるように構成され得る。さらに、第一回路１０８を形成すべく第一コイル１０６a、第二コイル１０６b、第四コイル１０６d及び第六コイル１０６fが電気的に直列に連結されるよう、第二コイル１０６bの第一端部が第一コイル１０６aの第二端部に連結され、第四コイル１０６dの第一端部が第二コイル１０６bの第二端部に連結され、そして、第六コイル１０６fの第一端部が第四コイル１０６dの第二端部に連結され得る。同様に、第二回路１１０を形成すべく第八コイル１０６h、第七コイル１０６g、第五コイル１０６e及び第三コイル１０６cが電気的に直列に連結されるよう、第七コイル１０６gの第一端部が第八コイル１０６hの第二端部に連結され、第五コイル１０６eの第一端部が第七コイル１０６gの第二端部に連結され、そして、第三コイル１０６cの第一端部が第五コイル１０６eの第二端部に連結され得る。第一回路１０８と第二回路１１０とが電気的に並列に連結されるよう、第三コイル１０６cの第二端部が第六コイル１０６fの第二端部に連結され得る。少なくとも一つの実施形態において、各コイル１０６の第一端部は正の基準端子に対応し、かつ、各コイル１０６の第二端部は負の基準端子に対応する。もしくは、各コイル１０６の第一端部は正の基準端子に対応し、又は、各コイル１０６の第二端部は負の基準端子に対応する。
【００３７】
図９に示される従来のスキップ磁極巻線機械４０と同様に、本発明の回転電気機械５００は、ステーター１０４周りの各回路（即ち、１０８及び１１０）のコイル１０６の進んだ配置によって、図７に示される従来の機械１０に比べて、不均一な間隙２２に関連する振動及びノイズの少なくとも一方を低減し得る。その一方で、下表４に示すように、回転電気機械５００は、巻線交差点（即ち、そこにおいて第一コイル区分が第二コイル区分に接触する点）における二つのコイル１０６間の最大可能巻線交差電圧としてVpの値を持つ前述の図９の従来のスキップ磁極巻線機械４０と比べたときに、同最大可能巻線交差電圧を概して０.７５Vpまで低減する。
【００３８】
【表４】
0005567708.tif 000005
【００３９】
例えば、相電圧（Vp）が第一回路１０８及び第二回路１１０のそれぞれのコイル１０６にわたって均等に分配されると仮定すると、もしC２に対応する端子A又はその近傍における巻線が、C３に対応する端子B又はその近傍における巻線と接触するならば、巻線交差点において巻線を横切る電圧は０.７５Vpに実質的に等しい（即ち、０.７５Vp-０Vp=０.７５Vp）。同様の分析が、回転電気機械２００の、どの二つの隣接するコイル１０６間の巻線交差電圧も概して０.７５Vpを上回らないことを示す。
【００４０】
したがって、本発明の電気機械５００は概して、従来の電気機械１０及び４０に対する改善を示す。
【００４１】
図５を参照すると、本発明の一つの実施形態に従った回転電気機械６００の概略図が示される。機械６００は概して、ローター１０２及びステーター１０４を有する。ステーター１０４は、八個のコイル１０６a-１０６hにような、複数のコイルを含み得る。コイル１０６のそれぞれは、第一端部及び第二端部を持ち得る。図５に示すように、八個のコイル１０６a-１０６hは、第二コイル１０６bが第一コイル１０６aに隣接し、第三コイル１０６cが第二コイル１０６bに隣接し、第四コイル１０６dが第三コイル１０６cに隣接し、第五コイル１０６eが第四コイル１０６dに隣接し、第六コイル１０６fが第五コイル１０６eに隣接し、第七コイル１０６gが第六コイル１０６fに隣接し、そして、第八コイル１０６hが第七コイル１０６g及び第一コイル１０６aの両方に隣接するように配設され得る。
【００４２】
第一コイル１０６aと第五コイル１０６eのそれぞれの第一端部が、相電圧（即ち、Vp）を受けるように構成され得る。さらに、第一回路１０８を形成すべく第一コイル１０６a、第二コイル１０６b、第四コイル１０６d及び第七コイル１０６gが電気的に直列に連結されるよう、第二コイル１０６bの第一端部が第一コイル１０６aの第二端部に連結され、第四コイル１０６dの第一端部が第二コイル１０６bの第二端部に連結され、そして、第七コイル１０６gの第一端部が第四コイル１０６dの第二端部に連結され得る。同様に、第二回路１１０を形成すべく第五コイル１０６e、第六コイル１０６f、第八コイル１０６h及び第三コイル１０６cが電気的に直列に連結されるよう、第六コイル１０６fの第一端部が第五コイル１０６eの第二端部に連結され、第八コイル１０６hの第一端部が第六コイル１０６fの第二端部に連結され、そして、第三コイル１０６cの第一端部が第八コイル１０６hの第二端部に連結され得る。第一回路１０８と第二回路１１０とが電気的に並列に連結するよう、第三コイル１０６cの第二端部が第七コイル１０６gの第二端部に連結され得る。少なくとも一つの実施形態において、各コイル１０６の第一端部は正の基準端子に対応し、かつ、各コイル１０６の第二端部は負の基準端子に対応する。もしくは、各コイル１０６の第一端部は正の基準端子に対応し、又は、各コイル１０６の第二端部は負の基準端子に対応する。
【００４３】
図９に示される従来のスキップ磁極巻線機械４０と同様に、本発明の回転電気機械５００は、ステーター１０４周りの各回路（即ち、１０８及び１１０）のコイル１０６の進んだ配置によって、図７に示される従来の機械１０に比べて、不均一な間隙２２に関連する振動及びノイズの少なくとも一方を低減し得る。その一方で、下表５に示すように、回転電気機械５００は、巻線交差点（即ち、そこにおいて第一コイル区分が第二コイル区分に接触する点）における二つのコイル１０６間の最大可能巻線交差電圧としてVpの値を持つ前述の図９の従来のスキップ磁極巻線機械４０と比べたときに、同最大可能巻線交差電圧を概して０.７５Vpまで低減する。
【００４４】
【表５】
0005567708.tif 000006
【００４５】
例えば、相電圧（Vp）が第一回路１０８及び第二回路１１０のそれぞれのコイル１０６にわたって均等に分配されると仮定すると、もしC６に対応する端子A又はその近傍における巻線が、C７に対応する端子B又はその近傍における巻線と接触するならば、巻線交差点において巻線を横切る電圧は０.７５Vpに実質的に等しい（即ち、０.７５Vp-０Vp=０.７５Vp）。同様の分析が、回転電気機械２００の、どの二つの隣接するコイル１０６間の巻線交差電圧も概して０.７５Vpを上回らないことを示す。
【００４６】
したがって、本発明の電気機械６００は概して、従来の電気機械１０及び４０に対する改善を示す。
【００４７】
図６を参照すると、本発明の一つの実施形態に従った回転電気機械７００の概略図が示される。機械７００は概して、ローター１０２及びステーター１０４を有する。ステーター１０４は、八個のコイル１０６a-１０６hにような、複数のコイルを含み得る。コイル１０６のそれぞれは、第一端部及び第二端部を持ち得る。図６に示すように、八個のコイル１０６a-１０６hは、第二コイル１０６bが第一コイル１０６aに隣接し、第三コイル１０６cが第二コイル１０６bに隣接し、第四コイル１０６dが第三コイル１０６cに隣接し、第五コイル１０６eが第四コイル１０６dに隣接し、第六コイル１０６fが第五コイル１０６eに隣接し、第七コイル１０６gが第六コイル１０６fに隣接し、そして、第八コイル１０６hが第七コイル１０６g及び第一コイル１０６aの両方に隣接するように配設され得る。
【００４８】
第一コイル１０６aと第四コイル１０６dのそれぞれの第一端部が、相電圧（即ち、Vp）を受けるように構成され得る。さらに、第一回路１０８を形成すべく第一コイル１０６a、第三コイル１０６c、第五コイル１０６e及び第七コイル１０６gが電気的に直列に連結されるよう、第三コイル１０６cの第一端部が第一コイル１０６aの第二端部に連結され、第五コイル１０６eの第一端部が第三コイル１０６cの第二端部に連結され、そして、第七コイル１０６gの第一端部が第五コイル１０６eの第二端部に連結され得る。同様に、第二回路１１０を形成すべく第四コイル１０６d、第二コイル１０６b、第八コイル１０６h及び第六コイル１０６fが電気的に直列に連結されるよう、第二コイル１０６bの第一端部が第四コイル１０６dの第二端部に連結され、第八コイル１０６hの第一端部が第二コイル１０６bの第二端部に連結され、そして、第六コイル１０６fの第一端部が第八コイル１０６hの第二端部に連結され得る。第一回路１０８と第二回路１１０とが電気的に並列に連結されるよう、第六コイル１０６fの第二端部が第七コイル１０６gの第二端部に連結され得る。少なくとも一つの実施形態において、各コイル１０６の第一端部は正の基準端子に対応し、かつ、各コイル１０６の第二端部は負の基準端子に対応する。もしくは、各コイル１０６の第一端部は正の基準端子に対応し、又は、各コイル１０６の第二端部は負の基準端子に対応する。
【００４９】
図９に示される従来のスキップ磁極巻線機械４０と同様に、本発明の回転電気機械２００は、ステーター１０４周りの各回路（即ち、１０８及び１１０）のコイル１０６の進んだ配置によって、図７に示される従来の機械１０に比べて、不均一な間隙２２に関連する振動及びノイズの少なくとも一方を低減し得る。その一方で、下表６に示すように、回転電気機械２００は、巻線交差点（即ち、そこにおいて第一コイル区分が第二コイル区分に接触する点）における二つのコイル１０６間の最大可能巻線交差電圧としてVpの値を持つ前述の図９の従来のスキップ磁極巻線機械４０と比べたときに、同最大可能巻線交差電圧を概して０.７５Vp（即ち、Vpの７５%）まで低減する。
【００５０】
【表６】
0005567708.tif 000007
【００５１】
例えば、相電圧（Vp）が第一回路１０８及び第二回路１１０のそれぞれのコイル１０６にわたって均等に分配されると仮定すると、もしC４に対応する端子A又はその近傍における巻線が、C５に対応する端子B又はその近傍における巻線と接触するならば、巻線交差点において巻線を横切る電圧は０.７５Vpに実質的に等しい（即ち、０.７５Vp-０Vp=０.７５Vp）。同様の分析が、回転電気機械２００の、どの二つの隣接するコイル１０６間の巻線交差電圧も概して０.７５Vpを上回らないことを示す。
【００５２】
したがって、本発明の電気機械６００は概して、従来の電気機械１０及び４０に対する改善を示す。
【００５３】
概して、本発明の一つ以上の実施形態は、とりわけ、各回路（例えば、回路１０８、１１０）のコイル１０６の少なくとも一つが、対応する回路の他のコイル１０６と連続していないこと、及び、コイル１０６が、対応する回路の最低磁位において接点を持つ、隣接しないコイル１０６の相電圧（即ち、Vp）を受けるように構成されていることにより、特徴づけられ得る。
【００５４】
本発明が、相巻線のそれぞれが本発明の実施形態に従って形成される多相電気機械にも同じように適用可能であることを記すべきである。さらに、適切ないかなる数のコイル１０６も、具体的な適用例の設計要求を満たすために実施可能である。
【００５５】
したがって、本発明の一つ以上の実施形態は、巻線交差点における二つのコイル１０６間の最大可能巻線交差電圧を低減しながら、不均一な間隙２２に関連する振動及びノイズの少なくとも一方を低減し得る。
【００５６】
本発明を実施するための最良の形態を詳細に説明してきたが、本発明が関連する技術分野の当業者であれば、特許請求の範囲に規定されるような本発明を実行するための代替設計及び代替実施形態を認識するであろう。
【符号の説明】
【００５７】
１０        回転電気機械
１０２      ローター
１０４      ステーター
１０６      コイル
１０６ａ    第一コイル
１０６ｂ    第二コイル
１０６ｃ    第三コイル
１０６ｄ    第四コイル
１０６ｅ    第五コイル
１０６ｆ    第六コイル
１０６ｇ    第七コイル
１０６ｈ    第八コイル
１０８      第一回路
１１０      第二回路
２００      回転電気機械
３００      回転電気機械
４００      回転電気機械
５００      回転電気機械
６００      回転電気機械
７００      回転電気機械
【図１】
0005567708.tif 000008
【図２】
0005567708.tif 000009
【図３】
0005567708.tif 000010
【図４】
0005567708.tif 000011
【図５】
0005567708.tif 000012
【図６】
0005567708.tif 000013
【図７】
0005567708.tif 000014
【図８】
0005567708.tif 000015
【図９】
0005567708.tif 000016